(57)【要約】  電力量計（１）は、電路を介して電力供給対象供給される電力量を計量する計量部を有する本体部（１０）と、本体部（１０）に装着され、本体部（１０）の少なくとも一部を覆うカバー部（２０）と、本体部（１０）を操作するためのボタン（３０）と、カバー部（２０）の一部およびボタン（３０）の一部が進入する空間（６０）へ送信波を送信し、送信波の反射波を受信する非接触センサ（１６）と、非接触センサ（１６）による反射波の受信結果に基づいて、カバー部（２０）の本体部（１０）への装着状態とボタン（３０）への操作状態とを判定する判定部とを備える。
2018229939.tif 000002
【特許請求の範囲】
【請求項１】
電路を介して電力供給対象に供給される電力量を計量する計量部を有する本体部と、
前記本体部に装着され、前記本体部の少なくとも一部を覆うカバー部と、
前記本体部を操作するためのボタンと、
前記カバー部の一部および前記ボタンの一部が進入する空間へ送信波を送信し、前記送信波の反射波を受信する非接触センサと、
前記非接触センサによる前記反射波の受信結果に基づいて、前記カバー部の前記本体部への装着状態と前記ボタンへの操作状態とを判定する判定部と、を備える
ことを特徴とする電力量計。
【請求項２】
前記カバー部には、
前記送信波が伝搬する伝搬路を前記空間として形成する伝搬路形成部を備える
ことを特徴とする請求項１に記載の電力量計。
【請求項３】
前記伝搬路形成部は、
第１の孔部と、第２の孔部とを備え、
前記ボタンは、
前記ボタンが操作された場合に前記第１の孔部を介して前記伝搬路へ進入する第１の突起を備え、
前記カバー部は、
前記カバー部が前記本体部に装着された場合に前記第２の孔部を介して前記伝搬路へ進入する第２の突起を備える
ことを特徴とする請求項２に記載の電力量計。
【請求項４】
前記本体部は、
前記電路に接続される端子部を備え、
前記カバー部は、
前記計量部および前記判定部を覆う本体カバーと、
前記端子部を覆う端子カバーと、を備え、
前記伝搬路形成部は、
前記本体カバーに設けられ、
前記第２の突起は、
前記端子カバーに設けられる
ことを特徴とする請求項３に記載の電力量計。
【請求項５】
前記ボタンは、
前記端子カバーまたは前記本体カバーに配置される
ことを特徴とする請求項４に記載の電力量計。
【請求項６】
前記伝搬路形成部は、
前記非接触センサからの距離が前記第１の突起および前記第２の突起のいずれよりも遠い位置に、前記非接触センサと対向する壁部を備え、
前記判定部は、
前記端子カバーの前記本体部への装着状態、前記本体カバーの前記本体部への装着状態、および前記ボタンへの操作状態を各々判定する
ことを特徴とする請求項４または５に記載の電力量計。
【請求項７】
前記計量部および前記判定部が配置される配線基板を備え、
前記伝搬路は、
前記伝搬路形成部と前記配線基板とに囲まれた空間に形成され、
前記配線基板のうち前記伝搬路を形成する領域は、電気部品が未実装の領域である
ことを特徴とする請求項４から６のいずれか一つに記載の電力量計。
【請求項８】
前記伝搬路は、
前記電力量計が設置状態である場合に水平方向に沿って形成され、
前記非接触センサは、
前記水平方向に沿って前記送信波を送信する
ことを特徴とする請求項４から７のいずれか一つに記載の電力量計。
【請求項９】
前記伝搬路は、
前記電力量計が設置状態である場合に水平方向に垂直な方向に沿って形成され、
前記非接触センサは、
前記垂直な方向に沿って前記送信波を送信する
ことを特徴とする請求項４から７のいずれか一つに記載の電力量計。
【請求項１０】
前記本体部は、
前記ボタンによって操作される表示部を備える
ことを特徴とする請求項１から９のいずれか一つに記載の電力量計。
【発明の詳細な説明】
【技術分野】
【０００１】
本発明は、電力量を計測する電力量計に関し、特に、カバーの状態を監視する機能を有し、かつ、ボタンを有する電力量計に関する。
【背景技術】
【０００２】
電力量計は、設置後の不正操作による盗電などを監視するために、電力量計の本体部を覆うカバーの状態を監視する機能を有している。例えば、特許文献１には、本体部に設けられたメカニカルスイッチを、カバーに設けられた突起で押下しているかどうかによって、カバーの本体部への装着状態を判定する電力量計が開示されている。【０００３】
また、電力量計には、電力量計の本体部を操作するためのボタンが配置される。例えば、特許文献２には、本体部に設けられた表示部を操作するためのボタンを備える電力量計が開示されている。
【先行技術文献】
【特許文献】
【０００４】
【特許文献１】国際公開第２０１３／１１８２５７号
【特許文献２】欧州特許出願公開第０６４９０２４号明細書
【発明の概要】
【発明が解決しようとする課題】
【０００５】
カバーの状態およびボタンの状態を判定するために、カバーおよびボタンの各々に対してメカニカルスイッチを配置する場合、メカニカルスイッチの数が多くなって構造が複雑になる上、経年劣化による接点不良が生じる可能性がある。【０００６】
本発明は、上記に鑑みてなされたものであって、構造の複雑化および経年劣化による影響を抑えつつカバーの状態およびボタンの状態を判定することができる電力量計を得ることを目的とする。
【課題を解決するための手段】
【０００７】
上述した課題を解決し、目的を達成するために、本発明の電力量計は、電路を介して電力供給対象に供給される電力量を計量する計量部を有する本体部と、前記本体部に装着され、前記本体部の少なくとも一部を覆うカバー部と、前記本体部を操作するためのボタンと、前記カバー部の一部および前記ボタンの一部が進入する空間へ送信波を送信し、前記送信波の反射波を受信する非接触センサと、前記非接触センサによる前記反射波の受信結果に基づいて、前記カバー部の前記本体部への装着状態と前記ボタンへの操作状態とを判定する判定部と、を備える。
【発明の効果】
【０００８】
本発明によれば、構造の複雑化および経年劣化による影響を抑えつつカバーの状態およびボタンの状態を判定することができる、という効果を奏する。
【図面の簡単な説明】
【０００９】
【図１】実施の形態１にかかる電力量計の構成例を示す図
【図２】実施の形態１にかかる非接触センサの説明図
【図３】実施の形態１にかかる判定部、トランスデューサ、および信号処理部の間で入出力される信号の状態の一例を示す図
【図４】実施の形態１にかかる電力量計の外観斜視図
【図５】図４のV−V線に沿った断面図
【図６】図４のVI−VI線に沿った断面図
【図７】図６に示す状態から端子カバーおよびボタンが取り外された場合の電力量計の状態を示す部分拡大図
【図８】図５の部分拡大図
【図９】図６の部分拡大図
【図１０】図９に示す状態からボタンが押下された場合の電力量計の状態を示す部分拡大図
【図１１】実施の形態１にかかる本体カバーおよび端子カバーが本体部に装着され、且つボタンが押下されていない状態における電力量計の動作の説明図
【図１２】図１１に示す状態からボタンが押下された場合における電力量計の動作の説明図
【図１３】実施の形態１にかかる非接触センサおよび判定部による処理の一例を示すフローチャート
【図１４】実施の形態１にかかる電力量計のハードウェア構成例を示す図
【図１５】実施の形態２にかかる電力量計の外観斜視図
【図１６】図１５のXV−XV線に沿った断面図
【図１７】図１５のXVI−XVI線に沿った断面図
【図１８】図１６に示す状態からボタンが押下された場合における電力量計の状態を示す部分拡大断面図
【発明を実施するための形態】
【００１０】
以下に、本発明の実施の形態にかかる電力量計を図面に基づいて詳細に説明する。なお、この実施の形態によりこの発明が限定されるものではない。
【００１１】
実施の形態１．
図１は、本発明の実施の形態１にかかる電力量計１の構成例を示す図である。実施の形態１にかかる電力量計１は、電源５から電路２を介して電力供給対象である負荷６へ供給される電力の量である使用電力量を計量する。電力量計１は、図１に示すように、使用電力量の計量、記憶、および表示などを行う電気回路を有する本体部１０と、本体部１０に装着されて本体部１０の少なくとも一部を覆うカバー部２０と、電力量計１を操作するためのボタン３０とを備える。かかる電力量計１は、電子式電力量計と呼ばれることもある。
【００１２】
本体部１０は、電路２に流れる電流を計測用電流に変換する変流器３と、電路２の電圧を計測用電圧に変換する変圧器４と、変流器３から出力される計測用電流の値をデジタルの電流値データに変換する電流入力部１１ａと、変圧器４から出力される計測用電圧の値をデジタルの電圧値データに変換する電圧入力部１１ｂとを備える。
【００１３】
また、本体部１０は、電流入力部１１ａから出力される電流値データと電圧入力部１１ｂから出力される電圧値データとに基づいて、使用電力量を計量する計量部１２と、計量部１２によって計量された使用電力量の情報を記憶する記憶部１３と、表示部１４と、記憶部１３に記憶された使用電力量の情報などを表示部１４に表示させる表示制御部１５とを備える。表示部１４は、例えば、液晶ディスプレイ、有機ＥＬディスプレイ、またはその他のディスプレイ装置である。
【００１４】
さらに、本体部１０は、超音波センサなどの非接触センサ１６と、カバー部２０の状態およびボタン３０の状態を判定する判定部１７と、電力会社のセンターに使用電力量などの情報を送信する無線通信部１８と、警報を行う警報部１９とを備える。
【００１５】
判定部１７は、非接触センサ１６の出力に基づいて、カバー部２０の本体部１０への装着状態およびボタン３０の操作状態を判定する。図２は、非接触センサ１６の説明図である。図２に示すように、非接触センサ１６は、超音波を送信波Ｗｓとして送信し且つ超音波を受信波Ｗｒとして受信するトランスデューサ４１と、トランスデューサ４１による超音波の送受信状態に基づいてパルス信号Ｓｏ１，Ｓｏ２を出力する信号処理部４２とを備える。
【００１６】
なお、図２に示すトランスデューサ４１は、送信波Ｗｓを送信する送信部の機能と受信波Ｗｒを受信する受信部の機能を有しているが、送信波Ｗｓを送信する送信部と受信波Ｗｒを受信する受信部とを別体で構成してもよい。また、図２に示す非接触センサ１６は、一例であって、非接触センサ１６は、図２に示す構成に限られない。
【００１７】
図３は、判定部１７、トランスデューサ４１、および信号処理部４２の間で入出力される信号の状態の一例を示す図である。判定部１７は、図３に示すように、時刻ｔ１において、信号処理部４２へパルス信号である要求信号Ｓｔｒを出力する。信号処理部４２は、要求信号Ｓｔｒを入力すると、時刻ｔ２において、パルス信号Ｓｏ１を判定部１７へ出力すると共に、送信端子Ｔｘから超音波帯域の連続パルスである送信パルスＳｓをトランスデューサ４１へ出力する。トランスデューサ４１は、送信パルスＳｓによって超音波である送信波Ｗｓを送信する。
【００１８】
トランスデューサ４１から送信された送信波Ｗｓの一部は、カバー部２０によって反射されて反射波となり、かかる反射波が受信波Ｗｒとしてトランスデューサ４１で受信される。トランスデューサ４１は、カバー部２０によって反射された反射波を受信波Ｗｒとして受信した場合に、受信した受信波Ｗｒの大きさに応じた大きさの受信信号Ｓｒを信号処理部４２へ出力する。信号処理部４２は、受信端子Ｒｘを介して入力される受信信号Ｓｒの大きさが閾値以上になった時刻ｔ３において、パルス信号Ｓｏ２を出力する。
【００１９】
また、トランスデューサ４１から送信された送信波Ｗｓの一部は、ボタン３０によって反射されて反射波となり、かかる反射波が受信波Ｗｒとしてトランスデューサ４１で受信される。トランスデューサ４１は、ボタン３０によって反射された反射波を受信波Ｗｒとして受信した場合に、受信した受信波Ｗｒの大きさに応じた大きさの受信信号Ｓｒを信号処理部４２へ出力する。信号処理部４２は、受信信号Ｓｒの大きさが閾値以上になった時刻ｔ４において、パルス信号Ｓｏ２を出力する。
【００２０】
判定部１７は、信号処理部４２から出力されるパルス信号Ｓｏ１とパルス信号Ｓｏ２との時間差ＴｏＦに基づいて、カバー部２０の本体部１０への装着状態およびボタン３０の操作状態を判定する。判定部１７は、時刻ｔ２のパルス信号Ｓｏ１と時刻ｔ３のパルス信号Ｓｏ２との時間差ＴｏＦ１に基づき、ボタン３０が押下されていると判定し、時刻ｔ２のパルス信号Ｓｏ１と時刻ｔ４のパルス信号Ｓｏ２との時間差ＴｏＦ２に基づき、カバー部２０が本体部１０へ装着されていると判定する。
【００２１】
なお、時間差ＴｏＦは、トランスデューサ４１と反射物との距離の２倍に正比例する値である。トランスデューサ４１とカバー部２０との距離と、トランスデューサ４１とボタン３０との距離とは異なるため、時間差ＴｏＦ１と時間差ＴｏＦ２とは異なる。そのため、時間差ＴｏＦ１，ＴｏＦ２に基づいて、判定部１７は、カバー部２０の本体部１０への装着状態およびボタン３０の操作状態を判定することができる。
【００２２】
図４は、実施の形態１にかかる電力量計１の外観斜視図であり、図５は、図４のV−V線に沿った断面図であり、図６は、図４のVI−VI線に沿った断面図である。図７は、図６の状態から端子カバー２２およびボタン３０が取り外された場合の電力量計１の状態を示す断面図である。図８は、図５の部分拡大図であり、図９は、図６の部分拡大図であり、図１０は、図９の状態からボタン３０が押下された場合の電力量計１の状態を示す部分拡大図である。
【００２３】
以下、説明の便宜上、図面において電力量計１の高さ方向をＺ軸方向とし、電力量計１の長手方向をＸ軸方向とし、Ｘ軸方向とＺ軸方向と各々に直交する方向をＹ軸方向とする。なお、電力量計１は、Ｘ軸方向が上下方向、Ｙ軸方向が水平方向、およびＺ軸が前後方向になるように設置される。
【００２４】
図４〜図６に示すように、本体部１０は、ケース５１と、ケース５１に支持されるプリント配線基板５２と、電路２に接続される不図示の複数の接続端子を有する端子部５３とを備える。プリント配線基板５２には、電気回路を構成するための配線パターンが形成されており、表示部１４および非接触センサ１６などの複数の電気部品が取り付けられる。端子部５３は、電路２から入力される電流および電圧を取り込むための入力部である。
【００２５】
なお、図４〜図６には示していないが、プリント配線基板５２には、表示部１４および非接触センサ１６の他、上述した電流入力部１１ａ、電圧入力部１１ｂ、計量部１２、記憶部１３、表示制御部１５、判定部１７、無線通信部１８、および警報部１９が取り付けられる。また、ケース５１内には、上述した変流器３および変圧器４が収納される。
【００２６】
図４〜図６に示すように、カバー部２０は、本体部１０のうち端子部５３を除く部分を覆う本体カバー２１と、端子部５３を覆う端子カバー２２とを備える。端子カバー２２には、本体部１０へ向けて移動可能なボタン３０が配置される。ボタン３０は、不図示の付勢部材によってＺ軸の正方向に付勢されている。
【００２７】
本体カバー２１には、非接触センサ１６から送信される超音波が伝搬する空間である伝搬路６０を形成する半筒状の伝搬路形成部２３が設けられる。伝搬路形成部２３は、図５および図８に示す断面にてＵ字状に形成され、本体カバー２１が本体部１０に装着された状態において、プリント配線基板５２に接している。プリント配線基板５２における伝搬路形成部２３との対向部分と伝搬路形成部２３とでＹ軸方向に延伸する管状部６５が形成される。管状部６５によって伝搬路６０が形成される。このように、伝搬路形成部２３とプリント配線基板５２で囲まれた領域が伝搬路６０になる。
【００２８】
図５および図６に示すように、管状部６５内におけるプリント配線基板５２上には部品が配置されていない。そのため、電力量計１における耐水性を向上させることができる。また、プリント配線基板５２のうち非接触センサ１６以外の部品が配置される主配置領域７０は、管状部６５によって伝搬路６０と分離されているため、主配置領域７０における耐水性が低下することを抑制することができる。
【００２９】
また、管状部６５は、主配置領域７０よりも端子部５３側に配置される。そのため、管状部６５内に水が進入した場合であっても、電力量計１が設置された状態において、管状部６５からみて主配置領域７０は上方にあるため、主配置領域７０への水の進入を抑制することができる。
【００３０】
図６および図９に示すように、伝搬路形成部２３の延伸方向における一端は、開口しており、非接触センサ１６に対向する。伝搬路形成部２３の延伸方向における他端には、壁部２４が形成される。壁部２４は、本体カバー２１が本体部１０に装着された状態において、プリント配線基板５２に接している。かかる壁部２４は、伝搬路形成部２３の開口側である先端から最も奥にあり、最奥壁ということもできる。
【００３１】
非接触センサ１６からの送信波Ｗｓの出力方向が伝搬路６０の延伸方向へ向くように非接触センサ１６が配置されている。これにより、非接触センサ１６からの送信波Ｗｓが伝搬路６０を効率よく伝搬する。
【００３２】
図６および図９に示すように、非接触センサ１６は、伝搬路形成部２３外に位置しているが、非接触センサ１６を伝搬路形成部２３内に位置してもよい。また、非接触センサ１６は耐水性を有する構成であってもよい。
【００３３】
伝搬路形成部２３には、図７に示すように、端子カバー２２用の第１の孔部６１とボタン３０用の第２の孔部６２とが形成される。端子カバー２２には、端子カバー２２の裏面から突出する突起２６を有している。端子カバー２２の裏面とは、本体部１０へ端子カバー２２を装着した時に、プリント配線基板５２と対向する面である。
【００３４】
端子カバー２２の突起２６は、本体部１０に端子カバー２２が装着される際に、図６および図９に示すように、第１の孔部６１を介して伝搬路６０へ進入して非接触センサ１６と対向し、非接触センサ１６からの送信波Ｗｓを反射する反射部として機能する。
【００３５】
突起２６における突出方向であるＺ軸方向の長さは、端子カバー２２が本体部１０に装着された状態で、非接触センサ１６から送信される送信波Ｗｓの一部が伝搬路形成部２３の壁部２４に到達するようにプリント配線基板５２に対し隙間ができる長さに設定される。
【００３６】
図７に示すように、突起２６は、端子カバー２２が本体部１０から取り外された状態では、伝搬路６０に存在しないことから、非接触センサ１６からの送信波Ｗｓは、Ｙ軸方向における第１の孔部６１の位置で反射されない。
【００３７】
ボタン３０には、ボタン３０の裏面から突出する突起３１が形成される。ボタン３０の裏面とは、ボタン３０の操作面３２の裏側の面である。突起３１は、図８および図９に示すように、ボタン３０が押下されていない状態では、第２の孔部６２を貫通しておらず伝搬路６０へ存在していない状態である。したがって、ボタン３０が押下されていない状態では、非接触センサ１６からの送信波Ｗｓは、Ｙ軸方向における第２の孔部６２の位置で反射されない。
【００３８】
突起３１は、ボタン３０が押下された場合、図１０に示すように、第２の孔部６２を介して伝搬路６０へ進入して非接触センサ１６と対向し、非接触センサ１６からの送信波Ｗｓを反射する反射部として機能する。
【００３９】
突起３１における突出方向であるＺ軸方向の長さは、ボタン３０が押下された状態で、非接触センサ１６から送信される送信波Ｗｓの一部が伝搬路形成部２３の壁部２４に到達するようにプリント配線基板５２に対し隙間ができる長さに設定される。また、突起３１の突出方向の長さは、ボタン３０が押下された状態で、非接触センサ１６から送信される送信波Ｗｓの一部が端子カバー２２の突起２６に到達することができる長さに設定される。
【００４０】
図１１は、実施の形態１にかかる本体カバー２１および端子カバー２２が本体部１０に装着され、且つボタン３０が押下されていない状態における電力量計１の動作の説明図である。図１２は、図１１に示す状態からボタン３０が押下された場合における電力量計１の動作の説明図である。図１１および図１２では、理解を容易にするために便宜上、電力量計１のＹ軸方向における位置に対応させて、２つのグラフ８０，８１を示している。
【００４１】
グラフ８０は、非接触センサ１６が送信する送信波Ｗｓの大きさを縦軸とし、時刻を横軸としたグラフであり、グラフ８１は、非接触センサ１６が受信する受信波Ｗｒの大きさを縦軸とし、時刻を横軸としたグラフである。
【００４２】
グラフ８０に示すように、時刻ｔ１０から一定期間、非接触センサ１６が送信波Ｗｓを伝搬路６０へ送信する。図１１に示す例の場合、時刻ｔ１１〜ｔ１３の区間である第１の時間範囲ＴＲ１において、受信波Ｗｒが閾値ＴＨを超えないため、信号処理部４２からパルス信号Ｓｏ２は出力されない。そのため、判定部１７は、ボタン３０が押下されていないと判定する。
【００４３】
図１２に示す例の場合、第１の時間範囲ＴＲ１において、受信波Ｗｒが閾値ＴＨを超えるため、信号処理部４２からパルス信号Ｓｏ２が出力される。そのため、判定部１７は、ボタン３０が押下されていると判定する。表示制御部１５は、ボタン３０が押下されていると判定部１７によって判定された場合、記憶部１３に記憶された使用電力量の情報を表示部１４に表示したり、表示部１４の表示内容を切り替えたりする。
【００４４】
このように、ボタン３０は、表示部１４の表示を操作する表示ボタンとして機能するが、ボタン３０は、表示部１４以外を操作するためのボタンであってもよい。例えば、ボタン３０は、電力量計１をリセットするためのリセットボタン、または、電力量計１の動作を設定するための設定ボタンであってもよい。
【００４５】
図１１および図１２に示すように、時刻ｔ１４〜ｔ１６の区間である第２の時間範囲ＴＲ２において、受信波Ｗｒが閾値ＴＨを超えるため、信号処理部４２からパルス信号Ｓｏ２が出力される。そのため、判定部１７は、端子カバー２２が本体部１０に装着されていると判定する。判定部１７は、第２の時間範囲ＴＲ２において、受信波Ｗｒが閾値ＴＨを超えて信号処理部４２からパルス信号Ｓｏ２が出力されない場合、端子カバー２２が本体部１０に装着されていないと判定する。これにより、電力量計１が設置された後に端子カバー２２が本体部１０から外されたことを検出することができる。
【００４６】
図１１および図１２に示すように、時刻ｔ１７〜ｔ１９の区間である第３の時間範囲ＴＲ３において、受信波Ｗｒが閾値ＴＨを超えるため、信号処理部４２からパルス信号Ｓｏ２が出力される。そのため、判定部１７は、本体カバー２１が本体部１０に装着されていると判定する。第３の時間範囲ＴＲ３において、受信波Ｗｒが閾値ＴＨを超えて信号処理部４２からパルス信号Ｓｏ２が出力されない場合、判定部１７は、本体カバー２１が本体部１０に装着されていないと判定する。
【００４７】
端子カバー２２または本体カバー２１が本体部１０に装着されていないと判定部１７によって判定された場合、警報部１９は、ブザーなどの警報音を出力する。また、端子カバー２２または本体カバー２１が本体部１０に装着されていないと判定部１７によって判定された場合、無線通信部１８は、端子カバー２２または本体カバー２１が本体部１０から外されたことを示す情報を電力会社のセンターに送信する。このように、電力量計１は、カバー部２０の状態に基づいた処理を行うため、電力量計１の設置後における不正な配線操作などの不正操作を監視することができる。
【００４８】
なお、上述したように、端子カバー２２にボタン３０が設けられていることから、判定部１７によってボタン３０が押下されたと判定される場合、端子カバー２２は本体部１０に装着していると見なせる。したがって、突起３１の突出方向の長さを、ボタン３０が押下された状態で、送信波Ｗｓが端子カバー２２の突起２６に到達しない長さに設定することもできる。この場合、ボタン３０が押下されると、第２の時間範囲ＴＲ２において受信波Ｗｒが閾値ＴＨを超えない場合があるが、ボタン３０が押下されたと判定されるため、判定部１７は、端子カバー２２は本体部１０に装着していると判定することができる。
【００４９】
また、上述した例では、突起２６，３１のＺ軸方向の長さを調整したが、突起２６，３１のＸ軸方向の長さを調整することもできる。例えば、ボタン３０が押下されている状態である場合に、Ｙ軸方向において非接触センサ１６から見て突起２６が突起３１から露出し、壁部２４が突起２６，３１から露出するように、突起２６，３１のＸ軸方向の長さを調整することができる。これによっても、送信波Ｗｓを突起２６，３１および壁部２４で反射させることができる。
【００５０】
また、突起２６，３１のＸ軸方向の長さを調整する場合、ボタン３０が押下されている状態である場合に、Ｙ軸方向において非接触センサ１６から見て突起２６が突起３１から露出しないようにしてもよい。この場合、判定部１７は、ボタン３０が押下されたと判定している場合、端子カバー２２は本体部１０に装着していると判定する。なお、突起２６，３１のＺ軸方向の長さとＸ軸方向の長さを共に調整してもよい。
【００５１】
また、上述した例では、非接触センサ１６が超音波を送受信する超音波センサであるものとして説明したが、非接触センサ１６は、超音波センサに限定されない。すなわち、非接触センサ１６は、反射型の非接触センサであればよく、超音波に代えて、光、赤外線、または電磁波を用いる構成であってもよい。
【００５２】
例えば、非接触センサ１６は、光を送信波Ｗｓとして送信する光源と、反射した光を受光する受信波Ｗｒとして受信する照度センサとを備える構成であってもよい。この場合、突起２６および壁部２４は、光を反射する反射材が塗布または内包されており、非接触センサ１６から送信される光を反射する。
【００５３】
非接触センサ１６は、反射されて照度センサで受信される反射光の量に基づいて、端子カバー２２の装着状態、ボタン３０の操作状態、および本体カバー２１の装着状態を判定する。なお、ボタン３０の突起３１には光を吸収する吸収材が塗布または内包されており、ボタン３０が押下された状態では、ボタン３０が押下されていない状態に比べ、照度センサで受信される反射光の量が低減する。これにより、判定部１７は、ボタン３０が押下されている状態を判定することができる。
【００５４】
図１３は、実施の形態１にかかる非接触センサ１６および判定部１７による処理の一例を示すフローチャートであり、かかる処理は、非接触センサ１６および判定部１７によって繰り返し実行される。図１３に示すように、判定部１７は、非接触センサ１６から送信波Ｗｓを送信させ（ステップＳ１０）、その後、第１の時間範囲ＴＲ１内に受信波Ｗｒとして反射波が非接触センサ１６で受信されたか否かを判定する（ステップＳ１１）。
【００５５】
判定部１７は、第１の時間範囲ＴＲ１内に反射波が受信されたと判定した場合（ステップＳ１１；Ｙｅｓ）、ボタン３０が押下されていると判定する（ステップＳ１２）。判定部１７は、第１の時間範囲ＴＲ１内に反射波が受信されていないと判定した場合（ステップＳ１１；Ｎｏ）、ボタン３０が押下されていないと判定する（ステップＳ１３）。
【００５６】
判定部１７は、ステップＳ１２の処理またはステップＳ１３の処理が終了すると、第２の時間範囲ＴＲ２内に受信波Ｗｒとして反射波が非接触センサ１６で受信されたか否かを判定する（ステップＳ１４）。判定部１７は、第２の時間範囲ＴＲ２内に反射波が受信されたと判定した場合（ステップＳ１４；Ｙｅｓ）、端子カバー２２が本体部１０に装着されていると判定する（ステップＳ１５）。判定部１７は、第２の時間範囲ＴＲ２内に反射波が受信されていないと判定した場合（ステップＳ１４；Ｎｏ）、端子カバー２２が本体部１０に装着されていないと判定する（ステップＳ１６）。
【００５７】
判定部１７は、ステップＳ１５の処理またはステップＳ１６の処理が終了すると、第３の時間範囲ＴＲ３内に受信波Ｗｒとして反射波が非接触センサ１６で受信されたか否かを判定する（ステップＳ１７）。判定部１７は、第３の時間範囲ＴＲ３内に反射波が受信されたと判定した場合（ステップＳ１７；Ｙｅｓ）、本体カバー２１が本体部１０に装着されていると判定する（ステップＳ１８）。判定部１７は、第３の時間範囲ＴＲ３内に反射波が受信されていないと判定した場合（ステップＳ１７；Ｎｏ）、本体カバー２１が本体部１０に装着されていないと判定する（ステップＳ１９）。判定部１７は、ステップＳ１８の処理またはステップＳ１９の処理が終了すると、図１３に示す処理を終了する。
【００５８】
ここで、実施の形態１にかかる電力量計１のハードウェア構成について説明する。図１４は、実施の形態１にかかる電力量計１のハードウェア構成例を示す図である。図１４に示すように、電力量計１は、プロセッサ１０１と、メモリ１０２と、ディスプレイ装置１０３と、Ａ／Ｄ変換器を含む入出力回路１０４と、通信装置１０５とを備える。プロセッサ１０１、メモリ１０２、ディスプレイ装置１０３、入出力回路１０４、および通信装置１０５は、バス１０６によって互いにデータの送受信が可能である。上述した表示部１４は、ディスプレイ装置１０３によって実現され、上述した電流入力部１１ａ、電圧入力部１１ｂおよび警報部１９は、入出力回路１０４によって実現され、上述した無線通信部１８は、通信装置１０５によって実現される。上述した記憶部１３は、メモリ１０２によって実現される。メモリ１０２は、コンピュータが読み取り可能なプログラムが記録された記録媒体を含む。
【００５９】
プロセッサ１０１は、メモリ１０２に記憶されたプログラムを読み出して実行することによって、上述した計量部１２、表示制御部１５、および判定部１７の機能を実行する。プロセッサ１０１は、処理回路の一例であり、例えば、ＣＰＵ（Central  Processing  Unit）、ＤＳＰ（Digital  Signal  Processer）、およびシステムＬＳＩ（Large  Scale  Integration）のうち一つ以上を含む。メモリ１０２は、例えば、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（Electrically  Erasable  Programmable  Read-Only  Memory）などの、不揮発性または揮発性の半導体メモリ、磁気ディスク、フレキシブルディスク、光ディスク、コンパクトディスク、ミニディスクまたはＤＶＤ（Digital  Versatile  Disc）などである。
【００６０】
なお、上述した計量部１２、表示制御部１５、および判定部１７を図１４に示したプロセッサ１０１およびメモリ１０２と同様の機能を実現する専用のハードウェアで実現してもよい。専用のハードウェアは、例えば、単一回路、複合回路、プログラム化したプロセッサ、並列プログラム化したプロセッサ、ＡＳＩＣ（Application  Specific  Integrated  Circuit）、ＦＰＧＡ（Field  Programmable  Gate  Array）、またはこれらを組み合わせた処理回路である。計量部１２、表示制御部１５、および判定部１７の一部を専用のハードウェアで実現し、残りを図１４に示したプロセッサ１０１およびメモリ１０２で実現するようにしてもよい。
【００６１】
以上のように、実施の形態１にかかる電力量計１は、電路２を介して電力供給対象に供給される電力量を計量する計量部１２を有する本体部１０と、本体部１０に装着され、本体部１０の少なくとも一部を覆うカバー部２０と、本体部１０を操作するためのボタン３０とを備える。そして、電力量計１は、カバー部２０の一部およびボタン３０の一部が進入する空間である伝搬路６０へ送信波Ｗｓを送信し、送信波Ｗｓの反射波を受信波Ｗｒとして受信する非接触センサ１６と、非接触センサ１６による反射波の受信結果に基づいて、カバー部２０の本体部１０への装着状態とボタン３０への操作状態とを判定する判定部１７とを備える。これにより、機械的なスイッチを用いずに、カバー部２０の本体部１０への装着状態とボタン３０への操作状態とを判定することができ、経年劣化による影響を抑えることができる。また、一つの非接触センサ１６でカバー部２０の本体部１０への装着状態とボタン３０への操作状態とを判定することができ、構造の複雑化を抑えることができる。
【００６２】
また、カバー部２０には、送信波Ｗｓが伝搬する伝搬路６０を形成する伝搬路形成部２３を備える。これにより、カバー部２０が本体部１０に装着された場合に、伝搬路６０が形成されることから、伝搬路６０を形成する部材をカバー部２０とは別に設ける場合に比べ、伝搬路６０を容易かつ低コストで形成することができる。
【００６３】
伝搬路形成部２３は、第１の孔部６１と、第２の孔部６２とを備える。ボタン３０は、ボタン３０が操作された場合に第１の孔部６１を介して伝搬路６０へ進入する突起３１を備える。カバー部２０は、カバー部２０が本体部１０に装着された場合に第２の孔部６２を介して伝搬路６０へ進入する突起２６を備える。これにより、構造の複雑化を抑えつつ、一つの非接触センサ１６でカバー部２０の本体部１０への装着状態とボタン３０への操作状態とを判定することができる。突起３１は、第１の突起の一例であり、突起２６は、第２の突起の一例である。
【００６４】
また、本体部１０は、電路２に接続される端子部５３を備える。カバー部２０は、計量部１２および判定部１７を覆う本体カバー２１と、端子部５３を覆う端子カバー２２とを備える。伝搬路形成部２３は、本体カバー２１に形成され、突起２６は、端子カバー２２に設けられる。これにより、判定部１７は、伝搬路６０が設けられている状態で、端子カバー２２が本体部１０から取り外されたことを検出することができる。
【００６５】
また、ボタン３０は、伝搬路形成部２３へ向けて移動可能に端子カバー２２に配置される。これにより、計量部１２および判定部１７を含む主配置領域７０に対向する位置を避けた位置に、ボタン３０を配置することができ、例えば、ボタン３０を主配置領域７０に対向する位置に設ける場合に比べ、耐水性の向上を容易に行うことができる。
【００６６】
また、伝搬路形成部２３は、非接触センサ１６からの距離が突起３１，２６よりも遠い位置に、非接触センサ１６と対向する壁部２４を備える。判定部１７は、端子カバー２２の本体部１０への装着状態、本体カバー２１の本体部１０への装着状態、およびボタン３０への操作状態を各々判定する。これにより、一つの非接触センサ１６でカバー部２０を構成する端子カバー２２と本体カバー２１とを個別に判定することができる。
【００６７】
実施の形態１にかかる電力量計１は、計量部１２および判定部１７が配置されるプリント配線基板５２を備える。伝搬路６０は、伝搬路形成部２３とプリント配線基板５２とに囲まれた空間に形成され、プリント配線基板５２のうち伝搬路６０を形成する領域は、電気部品が未実装の領域である。そのため、電力量計１における耐水性を向上させることができる。メカニカルスイッチを用いる場合には、突起２６，３１に対向するプリント配線基板５２の位置にメカニカルスイッチが配置される構成になるため、突起２６，３１を伝ってメカニカルスイッチに水分が移動する可能性がある。そのため、メカニカルスイッチにおいて接点がショートしたり劣化したりする可能性があるが、電力量計１は、メカニカルスイッチを用いずにカバー部２０の状態とボタン３０の状態を判定するため、耐水性を向上させることができる。
【００６８】
また、伝搬路６０は、電力量計１が設置状態である場合に水平方向に沿って形成され、非接触センサ１６は、水平方向に沿って送信波Ｗｓを送信する。したがって、例えば、主配置領域７０と端子部５３との間に伝搬路６０を形成することができ、主配置領域７０と端子部５３との間のスペースを有効に活用することができる。
【００６９】
また、本体部１０は、ボタン３０によって操作される表示部１４を備えることから、表示ボタンであるボタン３０への操作の検出を、経年劣化による影響および構造の複雑化を抑えつつ行うことができる。
【００７０】
実施の形態２．
実施の形態２にかかる電力量計は、設置時に鉛直方向になるＸ軸方向に沿って伝搬路が延伸する点で、設置時に水平方向になるＹ軸方向に沿って伝搬路６０が延伸する実施の形態１にかかる電力量計１と異なる。以下においては、実施の形態１と同様の機能を有する構成要素については同一符号を付して説明を省略し、実施の形態１の電力量計１と異なる点を中心に説明する。
【００７１】
図１５は、本発明の実施の形態２にかかる電力量計の外観斜視図であり、図１６は、図１５のXV−XV線に沿った断面図であり、図１７は、図１５のXVI−XVI線に沿った断面図である。図１８は、図１６に示す状態からボタン３０が押下された場合における状態を示す部分拡大断面図である。
【００７２】
図１５〜図１７に示すように、実施の形態２にかかる電力量計１Ａは、本体カバー２１Ａと端子カバー２２Ａを含むカバー部２０Ａを有する。実施の形態１にかかる電力量計１では、端子カバー２２にボタン３０が配置されるが、実施の形態２にかかる電力量計１Ａでは、本体カバー２１Ａにボタン３０が配置される。
【００７３】
また、本体カバー２１Ａには、Ｘ軸方向に延伸する半筒状の伝搬路形成部２３Ａが形成される。伝搬路形成部２３Ａは、図１６に示す断面にてＵ字状に形成され、本体カバー２１Ａが本体部１０に装着された状態において、プリント配線基板５２に接している。プリント配線基板５２のうち伝搬路形成部２３Ａに対向する部分と伝搬路形成部２３ＡとでＸ軸方向に延伸する管状部６５Ａが形成され、かかる管状部６５Ａによって伝搬路６０Ａが形成される。伝搬路形成部２３Ａとプリント配線基板５２で囲まれた領域が伝搬路６０Ａになる。
【００７４】
非接触センサ１６は、送信波Ｗｓの出力方向が伝搬路６０Ａの延伸方向へ向くように配置されている。また、伝搬路形成部２３Ａには、伝搬路形成部２３の壁部２４と同様の壁部２４Ａが設けられる。なお、実施の形態２にかかるプリント配線基板５２は、実施の形態１にかかるプリント配線基板５２と部品の配置が異なる。
【００７５】
図１６および図１７に示すように、管状部６５Ａ内におけるプリント配線基板５２上には部品が配置されておらず、プリント配線基板５２のうち非接触センサ１６以外の部品が配置される主配置領域７０Ａは、管状部６５Ａによって伝搬路６０Ａと分離されている。そのため、電力量計１Ａにおける耐水性を向上させることができる。
【００７６】
伝搬路形成部２３Ａには、図１６および図１８に示すように、第１の孔部６１Ａと第２の孔部６２Ａとが形成される。端子カバー２２Ａには、端子カバー２２Ａの裏面から突出する突起２６Ａを有している。突起２６Ａは、本体部１０に端子カバー２２Ａが装着される際に、第１の孔部６１Ａを介して伝搬路６０Ａへ進入して非接触センサ１６と対向し、非接触センサ１６からの送信波Ｗｓを反射する反射部として機能する。
【００７７】
また、ボタン３０の突起３１は、第２の孔部６２Ａを介して伝搬路６０Ａへ進入しており、ボタン３０が押下されることによって、伝搬路６０Ａへ進入する領域が増加し、Ｘ軸方向において、非接触センサ１６と対向する位置になる。
【００７８】
突起２６Ａ，３１のＺ軸方向の長さは、端子カバー２２Ａの装着状態、ボタン３０の操作状態、および本体カバー２１Ａの装着状態が判定部１７によって各々判定できるように、突起２６，３１と同様に設定される。電力量計１Ａの判定部１７は、非接触センサ１６から出力されるパルス信号Ｓｏ１とパルス信号Ｓｏ２との時間差ＴｏＦに基づいて、ボタン３０の操作状態、端子カバー２２Ａの本体部１０への装着状態、および本体カバー２１Ａの本体部１０への装着状態の各々を判定することができる。
【００７９】
以上のように、実施の形態２にかかる電力量計１Ａは、ボタン３０が伝搬路形成部２３Ａへ向けて移動可能に本体カバー２１Ａに配置される。これにより、端子カバー２２Ａが本体部１０から取り外された状態であっても、判定部１７においてボタン３０の操作状態を判定することができる。
【００８０】
また、伝搬路６０Ａは、電力量計１Ａが設置状態である場合に水平方向に垂直な方向である鉛直方向に沿って形成され、非接触センサ１６は、鉛直方向に沿って送信波Ｗｓを送信する。これにより、例えば、水平方向に沿ったスペースが確保できない場合であっても、鉛直方向に沿ったスペースを用いることができる。
【００８１】
上述した実施の形態１，２では、電力量計１，１Ａに一つのボタン３０が配置される例を説明したが、電力量計１，１Ａは、ボタン３０を複数有する構成であってもよい。この場合、例えば、複数のボタン３０における突起３１のＸ軸方向およびＹ軸方向の少なくともいずれかの長さを互いに異なる長さとすることで、判定部１７によって各ボタン３０の操作状態を判定することができる。
【００８２】
また、上述した実施の形態１では、非接触センサ１６からの距離が、ボタン３０の突起３１、端子カバー２２の突起２６、および本体カバー２１の壁部２４の順に遠くなる例を説明したが、非接触センサ１６からの距離は上述した例に限定されない。例えば、非接触センサ１６からの距離が、実施の形態２と同様に、端子カバー２２の突起２６、ボタン３０の突起３１、および本体カバー２１の壁部２４の順に遠くなるように構成してもよい。このことは、実施の形態２の場合も同様である。すなわち、電力量計１Ａにおいて、非接触センサ１６からの距離が、ボタン３０の突起３１、端子カバー２２Ａの突起２６Ａ、および本体カバー２１Ａの壁部２４Ａの順に遠くなるように構成してもよい。
【００８３】
また、上述した実施の形態１，２では、ボタン３０が押下された状態でボタン３０の突起３１が伝搬路６０，６０Ａに進入する例を説明したが、ボタン３０が押下された場合に、ボタン３０の一部が伝搬路６０，６０Ａから離脱する構成であってもよい。例えば、ボタン３０を押下式のボタンではなくスライド式のボタンとし、ボタン３０のスライド操作によって、ボタン３０の突起３１が伝搬路６０，６０Ａに進入したり伝搬路６０，６０Ａから離脱したりする構成であってもよい。
【００８４】
また、ボタン３０は、非接触センサ１６からの距離が変化するスライド式のボタンであってもよい。この場合、判定部１７は、パルス信号Ｓｏ１とパルス信号Ｓｏ２との時間差ＴｏＦの変化に基づいて、ボタン３０が操作されたことを検出することができる。
【００８５】
また、上述した実施の形態１，２では、伝搬路形成部２３，２３Ａは、断面Ｕ字状に形成されているが、断面環状に形成してもよい。これにより、プリント配線基板５２を用いずに管状部６５，６５Ａを形成することができる。
【００８６】
また、上述した実施の形態１，２では、伝搬路６０，６０Ａと対向する位置に、非接触センサ１６全体を配置する例を示したが、非接触センサ１６の配置は上述した例に限定されない。例えば、非接触センサ１６のうちトランスデューサ４１を非接触センサ１６の一部として伝搬路６０，６０Ａと対向する位置に配置し、信号処理部４２を主配置領域７０，７０Ａに配置してもよい。
【００８７】
また、上述した実施の形態１，２では、カバー部２０が本体カバー２１と端子カバー２２とで構成され、カバー部２０Ａが本体カバー２１Ａと端子カバー２２Ａで構成される例を説明したが、カバー部２０，２０Ａの構成は上述した例に限定されない。例えば、カバー部２０，２０Ａは、３つ以上のカバーによって構成されてもよく、この場合、判定部１７は、３つ以上のカバーの各々の状態を判定することができる。また、カバー部２０，２０Ａを一つのカバーで構成してもよい。この場合、伝搬路形成部２３，２３Ａを、カバー部２０，２０Ａとは別体に設ける構成であってもよく、また、カバー部２０，２０Ａに突起を設けずに、伝搬路６０，６０Ａの壁部２４，２４Ａによってカバー部２０，２０Ａの装着状態を検出する構成であってもよい。
【００８８】
また、上述した実施の形態１，２では、カバー部２０，２０Ａの突出部である突起２６，２６Ａを用いてカバー部２０，２０Ａの状態を判定するが、カバー部２０，２０Ａの一部を用いてカバー部２０，２０Ａの状態を判定する構成であればよく、突起２６，２６Ａを用いない構成であってもよい。例えば、カバー部２０，２０Ａの平坦な裏面を非接触センサ１６に対向させ、非接触センサ１６から送信された送信波Ｗｓが２０，２０Ａの裏面によって反射した反射波を受信波Ｗｒとして受信することで、カバー部２０，２０Ａの状態を判定する構成であってもよい。
【００８９】
また、上述した実施の形態１，２では、ボタン３０，３０Ａにおける突出する部分である突起３１を用いてボタン３０，３０Ａの状態を検出したが、ボタン３０，３０Ａの一部を用いてボタン３０，３０Ａの状態を判定する構成であればよく、突起３１を用いない構成であってもよい。
【００９０】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００９１】
１，１Ａ  電力量計、２  電路、３  変流器、４  変圧器、１０  本体部、１１ａ  電流入力部、１１ｂ  電圧入力部、１２  計量部、１３  記憶部、１４  表示部、１５  表示制御部、１６  非接触センサ、１７  判定部、１８  無線通信部、１９  警報部、２０，２０Ａ  カバー部、２１，２１Ａ  本体カバー、２２，２２Ａ  端子カバー、２３，２３Ａ  伝搬路形成部、２４，２４Ａ  壁部、２６，２６Ａ，３１  突起、３０  ボタン、４１  トランスデューサ、４２  信号処理部、５１  ケース、５２  プリント配線基板、５３  端子部、６０，６０Ａ  伝搬路、６１，６１Ａ  第１の孔部、６２，６２Ａ  第２の孔部、６５，６５Ａ  管状部、７０，７０Ａ  主配置領域。
【図１】
2018229939.tif 000003
【図２】
2018229939.tif 000004
【図３】
2018229939.tif 000005
【図４】
2018229939.tif 000006
【図５】
2018229939.tif 000007
【図６】
2018229939.tif 000008
【図７】
2018229939.tif 000009
【図８】
2018229939.tif 000010
【図９】
2018229939.tif 000011
【図１０】
2018229939.tif 000012
【図１１】
2018229939.tif 000013
【図１２】
2018229939.tif 000014
【図１３】
2018229939.tif 000015
【図１４】
2018229939.tif 000016
【図１５】
2018229939.tif 000017
【図１６】
2018229939.tif 000018
【図１７】
2018229939.tif 000019
【図１８】
2018229939.tif 000020
【手続補正書】
【提出日】令和1年5月29日(2019.5.29)
【手続補正１】
【補正対象書類名】特許請求の範囲
【補正対象項目名】全文
【補正方法】変更
【補正の内容】
【特許請求の範囲】
【請求項１】
電路を介して電力供給対象に供給される電力量を計量する計量部を有する本体部と、
前記本体部に装着され、前記本体部の少なくとも一部を覆うカバー部と、
前記本体部を操作するためのボタンと、
前記カバー部の一部および前記ボタンの一部が進入する空間へ送信波を送信し、前記送信波の反射波を受信する非接触センサと、
前記非接触センサによる前記反射波の受信結果に基づいて、前記カバー部の前記本体部への装着状態と前記ボタンへの操作状態とを判定する判定部と、を備える
ことを特徴とする電力量計。
【請求項２】
前記カバー部は、
前記送信波が伝搬する伝搬路を前記空間として形成する伝搬路形成部を備える
ことを特徴とする請求項１に記載の電力量計。
【請求項３】
前記伝搬路形成部は、
第１の孔部と、第２の孔部とを備え、
前記ボタンは、
前記ボタンが操作された場合に前記第１の孔部を介して前記伝搬路へ進入する第１の突起を備え、
前記カバー部は、
前記カバー部が前記本体部に装着された場合に前記第２の孔部を介して前記伝搬路へ進入する第２の突起を備える
ことを特徴とする請求項２に記載の電力量計。
【請求項４】
前記本体部は、
前記電路に接続される端子部を備え、
前記カバー部は、
前記計量部および前記判定部を覆う本体カバーと、
前記端子部を覆う端子カバーと、を備え、
前記伝搬路形成部は、
前記本体カバーに設けられ、
前記第２の突起は、
前記端子カバーに設けられる
ことを特徴とする請求項３に記載の電力量計。
【請求項５】
前記ボタンは、
前記端子カバーまたは前記本体カバーに配置される
ことを特徴とする請求項４に記載の電力量計。
【請求項６】
前記伝搬路形成部は、
前記非接触センサからの距離が前記第１の突起および前記第２の突起のいずれよりも遠い位置に、前記非接触センサと対向する壁部を備え、
前記判定部は、
前記端子カバーの前記本体部への装着状態、前記本体カバーの前記本体部への装着状態、および前記ボタンへの操作状態を各々判定する
ことを特徴とする請求項４または５に記載の電力量計。
【請求項７】
前記計量部および前記判定部が配置される配線基板を備え、
前記伝搬路は、
前記伝搬路形成部と前記配線基板とに囲まれた空間に形成され、
前記配線基板のうち前記伝搬路を形成する領域は、電気部品が未実装の領域である
ことを特徴とする請求項４から６のいずれか一つに記載の電力量計。
【請求項８】
前記伝搬路は、
前記電力量計が設置状態である場合に水平方向に沿って形成され、
前記非接触センサは、
前記水平方向に沿って前記送信波を送信する
ことを特徴とする請求項４から７のいずれか一つに記載の電力量計。
【請求項９】
前記伝搬路は、
前記電力量計が設置状態である場合に水平方向に垂直な方向に沿って形成され、
前記非接触センサは、
前記垂直な方向に沿って前記送信波を送信する
ことを特徴とする請求項４から７のいずれか一つに記載の電力量計。
【請求項１０】
前記本体部は、
前記ボタンによって操作される表示部を備える
ことを特徴とする請求項１から９のいずれか一つに記載の電力量計。
【国際調査報告】
2018229939.tif 000021
2018229939.tif 000022
2018229939.tif 000023
2018229939.tif 000024